(57)【要約】【課題】建築構造物の外壁面に対し、化粧石板を安全且つ迅速に貼着させて、重厚感と自然美を備えたものにする。【解決手段】肉厚寸法凡そ１２ｍｍ〜１５ｍｍ、縦寸法凡そ１０ｃｍ〜４０ｃｍ、横寸法凡そ３０ｃｍ〜６０ｃｍとなした化粧石材を建築構造物の外壁面に貼着させるにさいし、化粧石板の上端縁及び又は下端縁の各中央内部へＵ字状の溝を穿設したものとなし、他方下端縁をＬ字状に折り曲げ、且つその先端に上向きと下向き、又は上向きの突起体を形成した長尺の係止金具を作成し、該係止金具を建築構造物の外壁面に取付ると共に、該係止金具の上記突起体を前記化粧石板のＵ字状溝内へ係合止着させながら貼着させる。【選択図】      図５
2004156333.tif 000002
【特許請求の範囲】
【請求項１】
肉厚寸法凡そ１２ｍｍ〜１５ｍｍ、縦寸法凡そ１０ｃｍ〜４０ｃｍ、横寸法凡そ３０ｃｍ〜６０ｃｍとなした化粧石材を建築構造物の外壁面に貼着させるにさいし、化粧石板の上端縁及び又は下端縁の各中央内部へＵ字状の溝を穿設したものとなし、他方下端縁をＬ字状に折り曲げ、且つその先端に上向きと下向き、又は上向きの突起体を形成した長尺の係止金具を作成し、該係止金具を建築構造物の外壁面に取付ると共に、該係止金具の上記突起体を前記化粧石板のＵ字状溝内へ係合止着させながら貼着させるものとなすことを特徴とした化粧石板貼り工法。
【請求項２】
肉厚凡そ２ｍｍ程度、縦寸法凡そ３ｃｍ〜６ｃｍ、横長さ寸法凡そ５０ｃｍ〜２００ｃｍのステンレス製となした長尺板体の下端縁をＬ字状に折り曲げ、該折り曲げ巾寸法を４ｍｍ〜５ｍｍになすと共に、突起体の長さ寸法を凡そ３ｍｍ程度となし、また長尺板体の長さ方向適当間隔に複数箇の止めネジや釘打ち用透孔を穿設したものとなしたことを特徴とする請求項１記載の化粧石板貼り工法に使用する係止金具。
【請求項３】
巾寸法が凡そ１２ｍｍ〜１５ｍｍ、縦寸法を凡そ１０ｃｍ〜４０ｃｍ、横寸法を凡そ３０ｃｍ〜６０ｃｍになさしめると共に、その上縁部及び又は下縁部の中央内部に溝巾寸法を凡そ２ｍｍ程度、深さ寸法を凡そ５ｍｍ程度となしたＵ字状の溝を設けてあることを特徴とする請求項１記載の化粧石板貼り工法に使用する化粧石板。
【発明の詳細な説明】
【０００１】
【発明の属する技術分野】
本発明は化粧石板貼り工法及びそれに使用する止め金具並びに化粧石板に関する。
【０００２】
【従来の技術】
建築構造物に於ける外壁面に耐候性塗料を塗布した金属製の長尺板材や同合成樹脂板材などを使用したり、既存設備の壁材面に取付けてリフォームしたりすることは行われている。又、上記長尺板材の他にタイルやレンガ等を貼り付けたりすることも行われている。
【０００３】
【特許文献】
実開平５−８９６２１号
【０００４】
【発明が解決しようとする課題】
従来に於ける金属製或いは合成樹脂製の長尺板材は作業性に優れるものの重厚感や自然美に乏しい。これに対しタイルやレンガ等に張り付ける作業は重厚感や自然美に溢れるものであるが、作業性に劣りコスト高となっている。
本発明は上記問題点を解決せんとするものである。
【０００５】
【課題を解決するための手段】
本発明は、肉厚寸法凡そ１２ｍｍ〜１５ｍｍ、縦寸法凡そ１０ｃｍ〜４０ｃｍ、横寸法凡そ３０ｃｍ〜６０ｃｍとなした化粧石板を建築構造物の外壁面に貼着させるにさいし、化粧石板の上端縁及び又は下端縁の各中央内部へＵ字状の溝を穿設したものとなし、他方下端縁をＬ字状に折り曲げ、且つその先端に上向きと下向き、又は上向きの突起体を形成した長尺の係止金具を作成し、該係止金具を建築構造物の外壁面に取付ると共に、該係止金具の上記突起体を前記化粧石板のＵ字状溝内へ係合止着させながら貼着させるものとなすことを特徴とした化粧石板貼り工法であり、このさい長尺の係止金具は肉厚凡そ２ｍｍ程度、縦寸法凡そ３ｃｍ〜６ｃｍ、横長さ寸法凡そ５０ｃｍ〜２００ｃｍのステンレス製となした長尺板体の下端縁をＬ字状に折り曲げ、該折り曲げ巾寸法を４ｍｍ〜５ｍｍになすと共に、突起体の長さ寸法を凡そ３ｍｍ程度となし、且つ長尺板体の長さ方向適当間隔には複数箇の止めネジ用透孔を穿設したものとする。これに対し、化粧石板は巾寸法を凡そ１２ｍｍ〜１５ｍｍ、縦寸法を凡そ１０ｃｍ〜４０ｃｍ、横寸法を凡そ３０ｃｍ〜６０ｃｍになさしめると共に、その上縁部及び又は下縁部の中央内部に対し溝巾寸法を凡そ２ｍｍ程度、深さ寸法を凡そ５ｍｍ程度となしたＵ字状の溝を設けたものとする。
【０００６】
【発明の実施の形態】
図１は本発明方法の実施で使用する係止金具の斜視図であって、１は肉厚が凡そ２ｍｍ程度で縦寸法ａを凡そ３ｃｍ〜６ｃｍ、横寸法ｂを凡そ５０ｃｍ〜２００ｃｍとなしたステンレス製の長尺板体である。
而して、該長尺板体１の下端縁はＬ字状に折り曲げたものとなし、且つその先端には上向きと下向きの突起体２ａ、２ｂを形成させたものとなす。
【０００７】
ところで、上記突起体２ａ、２ｂの長さ寸法ｈは凡そ３ｍｍ程度のものとなされる。図示例では上記突起体２ａ、２ｂの作成にさいし、下部突起体２ａはＬ字状に折り曲げた第１段部ｍの先端を更に下方側へ折り曲げて形成するが、上部突起体２ｂは別途に同じく肉厚２ｍｍ程度のステンレス板材を用意し、これを折り曲げてＵ字板体３を作成し、且つこれを図示例の如く上記第１段部ｍの上面箇所へ一体的に溶着させることにより作成する。このさい第１段部ｍの巾寸法ｓは凡そ４ｍｍ〜５ｍｍ程度となされるのであり、また４はＵ字板体３を取付けた長尺板体１の長さ方向上縁部の適当間隔箇所へ穿設してなる透孔であり、該透孔４を介して長尺板体１を後述する通り建築構造物の壁面支柱や板材などに対して適宜ネジ止め或いは釘打ち止め可能になさしめるのである。
【０００８】
上記例の係止金具は長尺板体１のＬ字状段部に対し別途にＵ字板体３を使用して上下方向の突起体２ａ，２ｂを形成したものであるが、図２の長尺板体１’は下向きの突起体２ａを省略し、これに代わる上向きの突起体２ｂのみを形成した例である。このものは後述する化粧石板の貼着工事のさいに基礎側の下方部及び天井側の上方部箇所等で専ら使用するものである。
【０００９】
図３は本発明方法で使用する化粧石板５の斜視図であって、巾寸法ｘが凡そ１２ｍｍ〜１５ｍｍ、縦寸法ｙを１０ｃｍ〜４０ｃｍ、横寸法ｚを凡そ３０ｃｍ〜６０ｃｍとなさしめると共に、その上縁部及び又は下縁部の中央内部に対し横巾寸法ｋを凡そ２ｍｍ程度、深さ寸法ｇを凡そ５ｍｍ程度となしたＵ字溝６を穿設したものとなしてある。
【００１０】
上記例の化粧石板５はＵ字溝６をその上縁部及び又は下縁部の横方向の前面に対して設けたものであるが、図４の化粧板５’は横方向の片端側で凡そ１ｃｍ〜２ｃｍの範囲を残すようにして穿設したものである。これは後述する貼着作業時に角部箇所で化粧石板５の溝６が外方から見れないようにするためのものである。
【００１１】
図５は上記化粧石板を建築構造物７の外壁面に貼着させる作業説明図であって、８は本柱、９ａ，９ｂ，９ｃ，・・・は間柱である。本発明では初めに長尺の係止金具を外壁面８の本柱や間柱などに適宜止めネジや釘１０などを使用して止着させるのであり、而して止着された長尺板体１の上部及び又は下部突起体２ａ，２ｂに対し、各化粧石板５，５’の上縁部及び又は下縁部に穿設された溝６を嵌入させるようにして係合止着されるようにするのである。具体的には基礎部からの立ち上がり箇所には先ず長尺板体１’を止着させ、この突起体２ｂに対し化粧石板５，５’の下縁部の溝６を係合させながら並べ、且つその上縁部の溝６には長尺板体１の下部突起体２ｂが嵌入されるようになし、以下同様にして実施するのである。
【００１２】
上記の実施にさいし、建築構造物の角部を形成する箇所ｗには化粧石板５’を使用するものとなしてある。なお、１１は化粧石板の上下間或いは隣接間に介在させるものとなした目地材である。
【００１３】
上記に於ける貼着作業のさい化粧石板５，５’の裏面側に対し、適宜な糊剤を使用して壁面側へ貼着されるものとなしても良いが、これは極く少量で部分的なものとする。なお、上記では本柱や間柱上へ直接取付けたものを示したが、適宜必要な防水シートや通気材を使用したり、また外面に合板やサイデリックなどが取付けてあるものであっても良い。このものでは特異な装飾的効果が得られるものとなる。
【００１４】
本発明の係止金具で別途成形のＵ字板体３を使用したものでは、強度の向上の他にその取付けのさいに使用した止めネジや釘１０等の頭頂部分を、その止着状態でＵ字板体の肉厚巾の２ｍｍ内に取り込めるので、これの突出によるトラブルを防止できる上で優れたものとなる。
【００１５】
本発明で使用する化粧石板は専ら御影石であり、その大きさ寸法は原石加工の段階で任意に設定することができるが、その取扱いや作業性及びコスト等の点による幾多の実験結果から、肉厚巾寸法を凡そ１２ｍｍ〜１５ｍｍ、縦寸法を凡そ１０ｃｍ〜４０ｃｍ、横寸法を凡そ３０ｃｍ〜５０ｃｍとなさしめるのである。
【００１６】
【発明の効果】
本発明は以上の通り構成するものであって、長尺の係止金具の使用により天然石材を安全且つ簡便に建築構造物の外壁へ取付けるものとなすことができ、自然美と重厚感の溢れる外壁面の形成に寄与すること大ならしめるものである。
【図面の簡単な説明】
【図１】本発明方法の実施で使用する係止金具の斜視図である。
【図２】上記の他の例である。
【図３】本発明方法の実施で使用する化粧石板の斜視図である。
【図４】上記の他の例である。
【図５】作業状態説明図である。
【符号の説明】
１，１’      長尺の係止金具
２ａ，２ｂ    突起体
３      Ｕ字板体
４      透孔
５，５’      化粧石板
６      溝
７      建築構造物
９ａ，９ｂ，９ｃ    間柱
１０    釘
１１    目地
【図１】
2004156333.tif 000003
【図２】
2004156333.tif 000004
【図３】
2004156333.tif 000005
【図４】
2004156333.tif 000006
【図５】
2004156333.tif 000007